(57)【特許請求の範囲】
【請求項１】
第１方向における一方側である照射側を向く支持面を有する支持部と、
上記支持面に支持された複数のＬＥＤチップと、
上記支持面を覆い、上記ＬＥＤチップからの光を透過するカバーと、を備えており、
上記カバーの外縁は、上記第１方向視において、それぞれが離れており、かつ互いに平行な２対の辺からなり、一方の対を構成する辺と他方の対を構成する辺とのなす角が直角である４つの第１辺と、隣り合う上記第１辺の端部どうしをそれぞれつなぐ４つの第２辺と、を有し、
隣り合う上記第１辺と上記第２辺とのなす角がいずれも鈍角であり、
上記第２辺の長さは、上記第１辺の長さよりも小であり、
上記カバーのうち上記第１辺に対応する部位を除く上記第２辺に対応する部位には、上記ＬＥＤチップからの光を屈折させて上記第１方向における他方側である設置側寄りに出射するための凹面レンズが形成されている、ＬＥＤ照明器具。
【請求項２】
上記支持部は、上記第１方向視において環状である環状部を有するセンター部材と、上記環状部の外周に対して着脱可能に取り付けられ、それぞれが上記支持面を有する複数の支持部材と、を備える、請求項１に記載のＬＥＤ照明器具。
【請求項３】
上記センター部材は、上記環状部の周方向において一定間隔を隔てて設けられた複数の第１嵌合部を有し、
上記各支持部材は、上記第１嵌合部と凹凸嵌合することにより上記センター部材に取り付けられる、第２嵌合部を有する、請求項2に記載のＬＥＤ照明器具。
【請求項４】
上記第１嵌合部は、上記環状部の径方向外方に突出する凸状とされており、
上記第２嵌合部は、上記第１嵌合部を嵌入可能な凹状とされている、請求項３に記載のＬＥＤ照明器具。
【請求項５】
上記第１嵌合部は、上記環状部の径方向視において、Ｈ形状とされている、請求項４に記載のＬＥＤ照明器具。
【請求項６】
上記環状部は、上記環状部の周方向に対して直角である断面において、Ｈ形状とされている、請求項２ないし５のいずれかに記載のＬＥＤ照明器具。
【請求項７】
上記支持部材は、上記環状部の径方向に延びる中空状の支持バーと、上記支持バーに固定され、かつ上記支持面を有する支持板と、を有し、
上記第２嵌合部は、上記支持バーの端部に設けられている、請求項４または５に記載のＬＥＤ照明器具。
【請求項８】
上記支持板は、上記支持バーに対して上記第１方向照射側に位置する、請求項７に記載のＬＥＤ照明器具。
【請求項９】
上記複数の支持部材の外周は、上記第１方向視において、全体として略矩形状をなしている、請求項２ないし８のいずれかに記載のＬＥＤ照明器具。
【請求項１０】
上記支持部材の数は４つであり、これら支持部材は、上記第１方向視において同一形状である、請求項９に記載のＬＥＤ照明器具。
【請求項１１】
上記各支持部材の外周縁は、上記第１方向視において、上記カバーの上記第１辺に対向する第１周縁部と、この第１周縁部の両端につながり、上記カバーの上記第２辺に対向する第２周縁部と、上記第２周縁部にそれぞれつながり、互いに隣り合う上記支持部材間で対向する第３周縁部と、を有する、請求項１０に記載のＬＥＤ照明器具。
【請求項１２】
吸湿剤が収容された吸湿ユニットがさらに設けられている、請求項１ないし１１のいずれかに記載のＬＥＤ照明器具。
【請求項１３】
吸湿剤が収容された吸湿ユニットがさらに設けられており、
上記吸湿ユニットは、上記第１方向視において、上記センター部材と重なる位置にある、請求項２に記載のＬＥＤ照明器具。
【請求項１４】
上記吸湿ユニットは、上記吸湿剤の水分含有量が所定レベルを越えたことを示すインジケータを有する、請求項１２または１３に記載のＬＥＤ照明器具。
【請求項１５】
上記インジケータは、水分を吸収することにより色が変化する材料からなる、請求項１４に記載のＬＥＤ照明器具。
【請求項１６】
上記吸湿ユニットは、上記インジケータを外部から視認可能なインジケータ表示窓を有する、請求項１５に記載のＬＥＤ照明器具。
【請求項１７】
上記吸湿ユニットは、上記カバーの内側に配置されている、請求項１２ないし１６のいずれかに記載のＬＥＤ照明器具。
【請求項１８】
上記複数のＬＥＤチップを点灯させるための電力を供給するとともに、上記支持面に対して上記第１方向設置側に位置する電源部を備える、請求項１ないし１７のいずれかに記載のＬＥＤ照明器具。
【発明の詳細な説明】
【技術分野】
【０００１】
本発明は、ＬＥＤチップを備えるＬＥＤ照明器具に関する。
【背景技術】
【０００２】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。
【０００３】
図３５および図３６は、シーリングライトとして用いられる従来のＬＥＤ照明器具の一例を示している（たとえば、特許文献１参照）。同図に示されたＬＥＤ照明器具９００は、天井８００に取り付けて用いられる。ＬＥＤ照明器具９００は、複数の光源部９１０、反射面９２０、およびカバー９３０を備えている。光源部９１０は、各々がＬＥＤチップ（図示略）を内蔵している。反射面９２０は、たとえば白色塗装が施された金属板部材の表面である。光源部９１０からの光は、反射面９２０によって反射されることにより、図中下方へと進行する。カバー９３０は、反射面９２０を覆っており、平面視において概略矩形状とされている。カバー９３０は、たとえば光を拡散しながら透過する樹脂からなり、反射面９２０によって反射された光を、拡散しながら図中下方へと透過する。
【０００４】
しかしながら、カバー９３０の外縁は、反射面９２０から比較的に遠い位置にあり、光源部９１０からの光が届きにくい。特に、カバー９３０の矩形状外縁の４隅においては、この光が届きにくいことが顕著に表れる。したがって、ＬＥＤ照明器具９００の使用時には、カバー９３０の４隅が暗く見えるといった現象が起こり得た。
【０００５】
また、ＬＥＤ照明器具９００では、図３５に示すように光源部９１０が径方向において内向きに光を出射するように配置されている。このような構成は光源部９１０からの光を反射面９２０によってなるべく多く図中下方へ反射させることを意図したものである。
【０００６】
しかしながら、上記の構成によれば、光源部９１０からの光が天井８００に届きにくくなっている。このため、ＬＥＤ照明器具９００が取り付けられた天井８００を、室内の人間が見上げたときに天井８００が暗く見えてしまうことがある。
【先行技術文献】
【特許文献】
【０００７】
【特許文献１】特開２００８−３００２０３号公報
【発明の概要】
【発明が解決しようとする課題】
【０００８】
本発明は、上記した事情のもとで考え出されたものであって、平面視において概略矩形状の外縁を有するカバーを備えたＬＥＤ照明器具において、カバーの外縁が部分的に暗くなるのを防止することが可能なＬＥＤ照明器具を提供することをその課題とする。
【０００９】
また、本発明は、天井をより明るく照らすことができるＬＥＤ照明器具を提供することをその課題とする。
【課題を解決するための手段】
【００１０】
本発明の第１の側面によって提供されるＬＥＤ照明器具は、第１方向における一方側である照射側を向く支持面を有する支持部と、上記支持面に支持された複数のＬＥＤチップと、上記支持面を覆い、上記ＬＥＤチップからの光を透過するカバーと、を備えており、上記カバーの外縁は、上記第１方向視において、それぞれが離れており、かつ互いに平行な２対の辺からなり、一方の対を構成する辺と他方の対を構成する辺とのなす角が直角である４つの第１辺と、隣り合う上記第１辺の端部どうしをそれぞれつなぐ４つの第２辺と、を有し、隣り合う上記第１辺と上記第２辺とのなす角がいずれも鈍角である。
【００１１】
本発明の好ましい実施の形態においては、上記カバーの上記第２辺に対応する部位には、上記ＬＥＤチップからの光を屈折させて上記第１方向における他方側である設置側寄りに出射するための凹面レンズが形成されている。
【００１２】
本発明の好ましい実施の形態においては、上記第２辺の長さは、上記第１辺の長さよりも小である。
【００１３】
本発明の好ましい実施の形態においては、上記支持部は、上記第１方向視において環状である環状部を有するセンター部材と、上記環状部の外周に対して着脱可能に取り付けられ、それぞれが上記支持面を有する複数の支持部材と、を備える。
【００１４】
本発明の好ましい実施の形態においては、上記センター部材は、上記環状部の周方向において一定間隔を隔てて設けられた複数の第１嵌合部を有し、上記各支持部材は、上記第１嵌合部と凹凸嵌合することにより上記センター部材に取り付けられる、第２嵌合部を有する。
【００１５】
本発明の好ましい実施の形態においては、上記第１嵌合部は、上記環状部の径方向外方に突出する凸状とされており、上記第２嵌合部は、上記第１嵌合部を嵌入可能な凹状とされている。
【００１６】
本発明の好ましい実施の形態においては、上記第１嵌合部は、上記環状部の径方向視において、Ｈ形状とされている。
【００１７】
本発明の好ましい実施の形態においては、上記環状部は、上記環状部の周方向に対して直角である断面において、Ｈ形状とされている。
【００１８】
本発明の好ましい実施の形態においては、上記支持部材は、上記環状部の径方向に延びる中空状の支持バーと、上記支持バーに固定され、かつ上記支持面を有する支持板と、を有し、上記第２嵌合部は、上記支持バーの端部に設けられている。
【００１９】
本発明の好ましい実施の形態においては、上記支持板は、上記支持バーに対して上記第１方向照射側に位置する。
【００２０】
本発明の好ましい実施の形態においては、上記複数の支持部材の外周は、上記第１方向視において、全体として矩形状をなしている。
【００２１】
本発明の好ましい実施の形態においては、上記支持部材の数は４つであり、これら支持部材は、上記第１方向視において同一形状である。
【００２２】
本発明の好ましい実施の形態においては、上記各支持部材の外周縁は、上記第１方向視において、上記カバーの上記第１辺に対向する第１周縁部と、この第１周縁部の両端につながり、上記カバーの上記第２辺に対向する第２周縁部と、上記第２周縁部にそれぞれつながり、互いに隣り合う上記支持部材間で対向する第３周縁部と、を有する。
【００２３】
本発明の好ましい実施の形態においては、吸湿剤が収容された吸湿ユニットがさらに設けられている。
【００２４】
本発明の好ましい実施の形態においては、吸湿剤が収容された吸湿ユニットがさらに設けられており、上記吸湿ユニットは、上記第１方向視において、上記センター部材と重なる位置にある。
【００２５】
本発明の好ましい実施の形態においては、上記吸湿ユニットは、上記吸湿剤の水分含有量が所定レベルを越えたことを示すインジケータを有する。
【００２６】
本発明の好ましい実施の形態においては、上記インジケータは、水分を吸収することにより色が変化する材料からなる。
【００２７】
本発明の好ましい実施の形態においては、上記吸湿ユニットは、上記インジケータを外部から視認可能なインジケータ表示窓を有する。
【００２８】
本発明の好ましい実施の形態においては、上記吸湿ユニットは、上記カバーの内側に配置されている。
【００２９】
本発明の好ましい実施の形態においては、上記複数のＬＥＤチップを点灯させるための電力を供給するとともに、上記支持面に対して上記第１方向設置側に位置する電源部を備える。
【００３０】
本発明の第２の側面によって提供されるＬＥＤ照明器具は、少なくとも１以上のＬＥＤチップを含む光源部と、上記光源部を支持する支持部と、少なくとも一部が上記支持部の第１の方向における一方側である照射側に配置され、上記光源部からの光を透過する透光カバーと、上記支持部の上記第１の方向における他方側である設置側に配置され、上記光源部からの光を反射する拡散反射板と、を備えたＬＥＤ照明器具であって、上記支持部は、上記第１の方向と直交する第２の方向における一方側である外側と、他方側である内側とを隔てる複数の側面を有しており、上記第２の方向における内側は、上記複数の側面に囲まれており、上記光源部は、上記複数の側面のいずれかである第１の側面の上記第２の方向における外側に配置されていることを特徴とする。
【００３１】
本発明の好ましい実施の形態においては、上記第１の側面は上記第２の方向に対して垂直である。
【００３２】
本発明の好ましい実施の形態においては、上記光源部は、互いに反対を向く設置面および底面を有する基板と、上記ＬＥＤチップからの光を透過し、かつ、上記ＬＥＤチップを覆う保護部材と、上記基板および上記保護部材を上記第１の側面に固定する固定部材と、を有しており、上記ＬＥＤチップは上記基板の設置面側に設置されている。
【００３３】
本発明の好ましい実施の形態においては、上記保護部材は、上記第２の方向視において、上記ＬＥＤチップと重なるレンズ面を有している。
【００３４】
本発明の好ましい実施の形態においては、上記保護部材は、上記第１の方向において、上記レンズ面を挟むように配置される１対のテーパ面を有しており、上記１対のテーパ面は、それぞれ、上記第１の方向において上記レンズ面から遠ざかるにつれて、上記第２の方向において上記ＬＥＤチップから遠ざかるように傾斜している。
【００３５】
本発明の好ましい実施の形態においては、上記固定部材は、上記第２の方向において上記底面と上記第１の側面とに挟まれる底板と、上記底板から上記第２の方向に起立する１対の側板とを有しており、上記１対の側板が、上記第１の方向において上記保護部材を挟んでいる。
【００３６】
本発明の好ましい実施の形態においては、上記固定部材は、上記第１の方向において上記１対の側板に挟まれた上記１対の支持板を有しており、上記１対の支持板は、上記第１の方向において上記保護部材を挟み込んで支持している。
【００３７】
本発明の好ましい実施の形態においては、上記保護部材は、上記第１の方向に離間する１対の側面と、上記１対の側面のうち、上記第１の方向における設置側に位置する側面から上記第１の方向の設置側に突出する第１の係合部と、上記１対の側面のうち、上記第１の方向における照射側に位置する側面から上記第１の方向の照射側に突出する第２の係合部と、を有しており、上記１対の支持板のうち、上記第１の方向における設置側に位置する支持板が上記第１の係合部に当接し、上記第１の方向における照射側に位置する支持板が上記第２の係合部に当接している。
【００３８】
本発明の好ましい実施の形態においては、上記１対の支持板のうち、上記第１の方向における設置側に位置する支持板は、上記第１の方向における照射側を向く鏡面を有しており、上記第１の方向における照射側に位置する支持板は、上記第１の方向における設置側を向く鏡面を有している。
【００３９】
本発明の好ましい実施の形態においては、上記基板には、上記第２の方向に貫通する貫通孔が形成されており、上記保護部材は、上記貫通孔に嵌合する突出部を有している。
【００４０】
本発明の好ましい実施の形態においては、上記基板には、上記第２の方向に貫通する貫通孔が形成されており、上記第１の側面には、上記第２の方向視において上記貫通孔と重なる開口が形成されており、上記保護部材は、上記設置面と接する底面を有しており、上記固定部材は、上記保護部材の底面から上記第２の方向に突出し、上記貫通孔を通って上記開口に到達している。
【００４１】
本発明の好ましい実施の形態においては、上記拡散反射板は、上記第２の方向において上記光源部から遠ざかるにつれて、上記第１の方向における照射側に変位する傾斜部を有しており、上記傾斜部は、上記第２の方向視において上記光源部と重なっている。
【００４２】
本発明の好ましい実施の形態においては、上記透光カバーは、照射側被覆部と、上記照射側被覆部よりも上記第１の方向における設置側に位置する設置側被覆部と、を備えている。
【００４３】
本発明の好ましい実施の形態においては、上記設置側被覆部は、上記拡散反射板よりも、上記第１の方向における設置側に位置している。
【００４４】
本発明の好ましい実施の形態においては、上記拡散反射板の上記第２の方向における一方側の端部は、上記設置側被覆部の上記第２の方向における一方側の端部よりも、上記第２の方向における他方側に位置している。
【００４５】
本発明の好ましい実施の形態においては、上記拡散反射板には、上記第１の方向に貫通する窓部が形成されている。
【００４６】
本発明の好ましい実施の形態においては、上記拡散反射板よりも上記第１の方向における設置側に配置される導光体を備えており、上記導光体は、上記窓部から上記拡散反射板の上記第１の方向における照射側に臨む入射部と、上記設置側を向く出射面とを有している。
【００４７】
本発明の好ましい実施の形態においては、上記出射面は、平滑面と、凹凸が形成された粗面とを有している。
【００４８】
本発明の好ましい実施の形態においては、上記平滑面の上記第２の方向における幅寸法は、上記粗面の上記第２の方向における幅寸法よりも短い。
【００４９】
本発明の好ましい実施の形態においては、上記設置側を向く反射面を有し、上記導光体の上記第１の方向における照射側に配置された反射部材を備えている。
【００５０】
本発明の好ましい実施の形態においては、上記反射部材の上記第１の方向における照射側に配置され、かつ、上記照射側を向く追加の出射面を有する追加の導光体を備えている。
【００５１】
本発明の好ましい実施の形態においては、上記導光体の上記第２の方向における一方側の端部を覆う、反射部品を備える。
【００５２】
本発明の好ましい実施の形態においては、上記第１の側面は、上記第２の方向に垂直な面に対して傾斜しており、上記第１の方向における設置側ほど上記第２の方向における一方側に変位している。
【００５３】
本発明の好ましい実施の形態においては、上記光源部は、互いに反対を向く設置面および底面を有する基板を有しており、上記底面は、上記第１の側面に当接しており、上記ＬＥＤチップは上記基板の設置面側に設置されている。
【００５４】
このような構成によれば、上記光源部から出射される光は、上記支持部の内側とは反対である上記第２の方向における一方側に向けて出射されることになる。従来のＬＥＤ照明器具では、光源部から出射された光が径方向における内方に向けて出射されていたため、天井に向かう光が生じにくくなっていたが、本発明の構成によればそういう問題は生じにくくなっている。このため、本発明に基づくＬＥＤ照明器具は、従来よりも上記光源部からの光を上記設置側に出射しやすい構成を備えており、天井をより明るく照明しやすくなっている。
【００５５】
本発明のその他の特徴および利点は、添付図面を参照して以下に行う詳細な説明によって、より明らかとなろう。
【図面の簡単な説明】
【００５６】
【図１】本発明の第１実施形態に基づく照明器具を示す平面図である。
【図２】図１のＬＥＤ照明器具を示す側面図である。
【図３】図１のＬＥＤ照明器具を示す底面図である。
【図４】図１のＩＶ−ＩＶ線に沿う断面図である。
【図５】支持部を示す平面図である。
【図６】センター部材を示す斜視図である。
【図７】センター部材と支持部材を分離した状態を示す平面図である。
【図８】第１嵌合部と第２嵌合部の嵌合を説明するための斜視図である。
【図９】図５のＩＸ−ＩＸ線に沿う部分拡大断面図である。
【図１０】図１のＬＥＤ照明器具に用いられるＬＥＤモジュールの一例を示す断面図である。
【図１１】図１のＸＩ−ＸＩ線に沿う部分拡大断面図である。
【図１２】支持部に対するカバーの取り付け構造の一例を示す概略斜視図である。
【図１３】本発明の第２実施形態に基づくＬＥＤ照明器具を示す平面図である。
【図１４】図１３のＬＥＤ照明器具を示す側面図である。
【図１５】図１３のＬＥＤ照明器具を示す底面図である。
【図１６】図１５のＸＶＩ−ＸＶＩ線に沿う断面図である。
【図１７】図１６に示す光源部を示す図である。
【図１８】図１７のＶＩ−ＶＩ線に沿う断面図である。
【図１９】図１８に示す基板の底面を示す図である。
【図２０】図１８に示すＬＥＤチップを示す図である。
【図２１】図１６に示す光源部の別の実施例を示す断面図である。
【図２２】図１６に示す光源部のさらに別の実施例を示す断面図である。
【図２３】本発明の第３実施形態に基づくＬＥＤ照明器具を示す底面図である。
【図２４】図２３のＸＸＩＶ−ＸＸＩＶ線に沿う断面図である。
【図２５】本発明の第４実施形態に基づくＬＥＤ照明器具を示す底面図である。
【図２６】図２５のＸＸＶＩ−ＸＸＶＩ線に沿う断面図である。
【図２７】図２６に示す導光部の要部拡大図である。
【図２８】図２７に示す導光部の別の実施例を示す要部拡大図である。
【図２９】図２８に示す導光部のさらに別の実施例を示す要部拡大図である。
【図３０】図２８に示す導光部のさらに別の実施例を示す要部拡大図である。
【図３１】本発明の第５実施形態に基づくＬＥＤ照明器具を示す平面図である。
【図３２】図３１のＸＸＸＩＩ−ＸＸＸＩＩ線に沿う断面図である。
【図３３】参考例であるＬＥＤ照明器具を示す平面図である。
【図３４】図３３のＸＸＸＩＶ−ＸＸＸＩＶ線に沿う断面図である。
【図３５】従来のＬＥＤ照明器具を示す断面図である。
【図３６】従来のＬＥＤ照明器具を示す平面図である。
【発明を実施するための形態】
【００５７】
以下、本発明の好ましい実施の形態につき、図面を参照して具体的に説明する。
【００５８】
図１〜図４は、本発明の第１実施形態に基づくＬＥＤ照明器具を示している。本実施形態のＬＥＤ照明器具１０１は、支持部２００、複数のＬＥＤモジュール３００、電源部４００、受信部５００、カバー６００、および吸湿ユニット７４０を備えている。ＬＥＤ照明器具１０１は、たとえば天井８００の給電部８０１に対して設置部品８０２を介して取り付けられることにより、いわゆるシーリングライトとして用いられることが意図されている。
【００５９】
支持部２００は、ＬＥＤ照明器具１０１の土台をなす部分であり、図３〜図５に示すように、センター部材２１０と、複数の支持部材２２０とを備えている。センター部材２１０は、たとえば金属からなり、平面視において環状をなす環状部２１１と、この環状部２１１の周方向において一定間隔を隔てて設けられた複数の第１嵌合部２１２とを有している。複数の第１嵌合部２１２は、それぞれ環状部２１１の径方向外方に突出すると凸状とされている。本実施形態では、環状部２１１の外周には、４つの第１嵌合部２１２が設けられており、これら第１嵌合部２１２は、環状部２１１の周方向において９０度ごとに配置されている。
【００６０】
図４、図６に示すように、環状部２１１は、この環状部２１１の周方向に対して直角である断面においてＨ形状とされている。また、図６に示すように、第１嵌合部２１２は、環状部２１１の径方向視において、Ｈ形状とされている。各第１嵌合部２１２は、たとえば溶接などの適宜手段によって環状部２１１に固定されている。
【００６１】
図３〜図５、図７に示すように、支持部材２２０は、センター部材２１０の周囲に均等に配置されており、本実施形態では、４つの支持部材２２０がセンター部材２１０に取り付けられている。各支持部材２２０は、支持バー２２１と、支持板２２２と、バックアップ板２２３とを有している。支持バー２２１は、環状部２１１の径方向に延びており、断面Ｈ形の中空状とされている。支持バー２２１は、たとえばアルミニウムなどの放熱性に優れた金属材料よりなる。図８から理解されるように、支持バー２２１の内部空間は、センター部材２１０の第１嵌合部２１２に対応するＨ形とされている。支持バー２２１の内部空間は、支持バー２２１の端部において、外部に開放している。これにより、支持バー２２１の端部は、上記第１嵌合部２１２をほぼ隙間なく嵌入可能な凹状の第２嵌合部２２１ａとなっている。支持部材２２０は、第２嵌合部２２１ａを第１嵌合部２１２に凹凸嵌合することにより、センター部材２１０に着脱可能に取り付けられる。なお、これら第１および第２嵌合部２１２，２２１ａには、たとえばビス等により当該嵌合部２１２，２２１ａの抜け出しを防止するためのロック機構（図示略）が設けられている。センター部材２１０と、４つの支持部材２２０のそれぞれとは、給電用のコネクタ（図示略）によって電気的に接続されている。
【００６２】
支持板２２２は、たとえば金属板からなり、ＬＥＤモジュール３００を支持するためのものである。支持板２２２は、図４に示すように、支持バー２２１に対して、天井８００とは反対側の図中下側（本発明でいう第１方向照明側）に位置する。支持板２２２は、たとえば溶接あるいはビス止めなどの適宜手段によって支持バー２２１に固定されており、図中下側を向く支持面２２２ａを有する。図５に示すように、支持板２２２は、平面視において、概略三角形状であり、支持バー２２１の長手方向を挟んで両側のサイズが等しくされている。
【００６３】
バックアップ板２２３は、たとえば金属板からなり、図４に示すように、支持バー２２１に対して、図中上側に設けられている。バックアップ板２２３は、溶接あるいはビス止めなどの適宜手段によって支持バー２２１に固定されている。バックアップ板２２３の天井８００側の面には、複数の緩衝材２７０が設けられている。
【００６４】
図５に示すように、４つの支持部材２２０は、平面視において同一形状とされている。これら支持部材２２０の外周は、センター部材２１０に取り付けられた状態にて、全体として略矩形状とされている。各支持部材２２０（支持板２２２）の外周縁は、第１ないし第３周縁部２５１，２５２，２５３を有する。第１周縁部２５１は、環状部２１１の径方向と直角である方向に延びている。第２周縁部２５２は、第１周縁部２５１の両端部のそれぞれにつながっている。詳細は後述するが、第１および第２周縁部２５１，２５２は、カバー６００の外縁部６２０と対応する位置にある。第３周縁部２５３は、第２周縁部２５２にそれぞれつながり、互いに隣り合う支持部材２２０間で対向している。なお、本実施形態では、図５および図９に示すように、隣り合う支持部材２２０の第３周縁部２５３どうしは、連結部材２３０によって着脱可能に連結されている。また、本実施形態では、図４に示すように、支持板２２２の端部が折り曲げられることにより、第１および第２周縁部２５１，２５２につながり、かつ、バックアップ板２２３の端部２２３ａと重合する鍔部２５４が形成されている。
【００６５】
複数のＬＥＤモジュール３００は、ＬＥＤ基板２４０を介して支持板２２２の支持面２２２ａに支持されている。ＬＥＤ基板２４０は、たとえばガラスエポキシ樹脂からなる絶縁基板であり、このＬＥＤ基板２４０に複数のＬＥＤモジュール３００が搭載されている。
【００６６】
各ＬＥＤモジュール３００は、平面視長矩形状とされている。図１０は、ＬＥＤモジュール３００の短手方向に対して直角である平面における断面図を示している。同図に示すようにＬＥＤモジュール３００は、１対のリード３０２、ＬＥＤチップ３０１、封止樹脂３０５、およびケース３０４を備えている。１対のリード３０２は、たとえばＣｕ合金からなり、その一方にＬＥＤチップ３０１が搭載されている。リード３０２のうちＬＥＤチップ３０１が搭載された面と反対側の面は、ＬＥＤモジュール３００を面実装するために用いられる実装端子３０３とされている。ＬＥＤチップ３０１は、ＬＥＤモジュール３００の光源であり、たとえば青色光を発光可能とされている。封止樹脂３０５は、ＬＥＤチップ３０１を保護するためのものである。封止樹脂３０５は、ＬＥＤチップ３０１からの光によって励起されることにより黄色光を発する蛍光物質を含む透光樹脂を用いて形成されている。これにより、ＬＥＤモジュール３００は、発する光の色温度を適宜設定可能である。上記蛍光物質としては、黄色光を発するものに代えて、赤色光を発するものと緑色光を発するものとを混合して用いてもよい。ケース３０４はたとえば白色樹脂からなり、ＬＥＤチップ３０１から側方に発された光を上方に反射するためのものである。なお、ＬＥＤチップ３０１は、２つのワイヤによって１対のリード３０２に接続される、いわゆる２ワイヤタイプのものでもよい。
【００６７】
本実施形態においては、支持板２２２に支持された複数のＬＥＤモジュール３００は、平面視において環状部２１１の径方向に直角である方向に所定ピッチで配列され、かつ当該列が径方向に複数並ぶように配置されている。
【００６８】
本実施形態では、図４に示すように、カバー６００の内側には、支持ステー２６０が設けられている。支持ステー２６０は、センター部材２１０に対して、図中下側に配置されている。また、支持ステー２６０の図中下側には、円環状のＬＥＤ基板２６１が設けられており、このＬＥＤ基板２６１上に複数のＬＥＤモジュール３００が円環状に配置されている。
【００６９】
なお、複数のＬＥＤモジュール３００については、電球色を発するもの、昼白色を発するもの、あるいは、電球色と昼白色のいずれか一方をそれぞれ発するものによって構成することができる。複数のＬＥＤモジュール３００として電球色と昼白色のいずれか一方をそれぞれ発するものを採用する場合、電球色を発するＬＥＤモジュール３００と昼白色を発するＬＥＤモジュール３００とは、たとえば交互に配置される。
【００７０】
電源部４００は、天井８００の給電部８０１から供給されるたとえば交流１００Ｖ電力を、ＬＥＤチップ３０１を点灯させるのに適した電圧の直流電力に変換し、これを複数のＬＥＤモジュール３００に供給するためのものである。電源部４００は、たとえばトランス、コンデンサ、抵抗器、ダイオード、ＩＣなどを備える。また、電源部４００は、電球色のＬＥＤモジュール３００と昼白色のＬＥＤモジュール３００との輝度を独立して制御することが可能である。これにより、ＬＥＤ照明器具１０１は、電球色から昼白色の間の色温度の光を任意に照射可能である。また、電源部４００は、支持ステー２６０（ＬＥＤ基板２６１）に支持されたＬＥＤモジュール３００のみをその他のＬＥＤモジュール３００とは別に点灯および消灯させることが可能である。本実施形態においては、図４に示すように、電源部４００は、支持板２２２とバックアップ板２２３との間の空間に収容されており、支持面２２２ａに対して図中上側に位置している。
【００７１】
受信部５００は、図外の送信部から送信された信号を受信するためのものであり、本実施形態においては、ＬＥＤ基板２６１に搭載されている。受信部５００が受信した信号は、電源部４００に送られる。電源部４００は、この信号の指令に基づいて複数のＬＥＤモジュール３００の点灯状態を制御する。
【００７２】
カバー６００は、ＬＥＤ照明器具１０１の外観の大半を構成するものであり、傾斜部６１０、外縁部６２０、および中央部６３０を有する。傾斜部６１０は、たとえば乳白色の半透明の樹脂からなり、支持面２２２ａを覆っている。図４に示すように、傾斜部６１０は、中央に向かうほど図中下方に位置するように傾斜している。
【００７３】
外縁部６２０は、傾斜部６１０の外周につながることによりこの傾斜部６１０を外側から囲んでおり、図１および図４に示すように、平面視方向（図４における図中上下方向）に沿った外周壁として構成されている。図１に表れているように、外縁部６２０は、平面視において、それぞれが離れ、かつ互いに平行な２対（４つ）の第１辺６２１と、４つの第２辺６２２とを有する。２対の第１辺６２１のうち一方の対を構成する辺６２１ａと他方の対を構成する辺６２１ｂとのなす角は、直角である。上記４つの第２辺６２２は、隣り合う第１辺６２１の端部どうしをそれぞれつないでいる。隣り合う第１辺６２１と第２辺６２２とのなす角は、いずれも鈍角である。また、第２辺６２２の長さは、第１辺６２１の長さよりも小である。図１に示すように、第１辺６２１は、それぞれが支持部材２２０の第１周縁部２５１と対向しており、また、第２辺６２２は、それぞれが支持部材２２０の第２周縁部２５２と対向している。本実施形態では、図４に示すように、外縁部６２０の端部には、外側に突出する係止鍔部６５０がつながっている。
【００７４】
図１１に示すように、外縁部６２０のうち第２辺６２２に対応する部位には、凹面レンズ６４０が形成されている。凹面レンズ６４０は、ＬＥＤモジュール３００（ＬＥＤチップ３０１）からの光を屈折させて図中上側（本発明でいう第１方向設置側）に出射するためのものである。
【００７５】
図４に示すように、本実施形態では、外縁部６２０の天井８００側の端部には、この６２０に一体的につながるとともに外側に突出する係止鍔部６５０が形成されている。係止鍔部６５０は、バックアップ板２２３の端部２２３ａおよび支持板２２２の鍔部２５４と重なっており、これら端部２２３ａ、鍔部２５４、係止鍔部６５０がクリップ部材６６０によって挟まれている。クリップ部材６６０は、たとえば樹脂または金属からなり、断面コの字状とされるとともに、外縁部６２０の第１辺６２１とこれに隣接する第２辺６２２に対応する形状とされている（図１参照）。本実施形態では、４つのクリップ部材６６０が用いられ、これらクリップ部材６６０によって支持部２００およびカバー６００の外周のほぼすべてを囲んでいる。クリップ部材６６０を装着することによって、鍔部２５４および係止鍔部６５０が密着し、支持部２００からのカバー６００の脱落が防止される。
【００７６】
中央部６３０は、たとえば乳白色の半透明の樹脂からなり、傾斜部６１０の内側に配置されている。中央部６３０は、たとえば傾斜部６１０に対して着脱可能に取り付けられており、支持ステー２６０を覆っている。
【００７７】
吸湿ユニット７４０は、図４に示すように、支持ステー２６０に取り付けられている。より詳細には、支持ステー２６０には、吸湿ユニット７４０を収容するための凹部が設けられており、吸湿ユニット７４０は、上記凹部の底面に対して着脱可能に取り付けられている。図１に示すように、吸湿ユニット７４０は、平面視においてセンター部材２１０と重なる位置にある。
【００７８】
吸湿ユニット７４０は、たとえば側壁部に通気孔（図示略）を有する中空容器とされており、この吸湿ユニット７４０の内部には、吸湿剤７４２が収容されている。吸湿剤７４２としては、たとえばシリカゲルを用いることができる。また、本実施形態においては、図４に示すように、吸湿ユニット７４０内部における図中下側部分には、インジケータ７４３が収容されている。インジケータ７４３は、吸湿剤７４２の水分含有量が所定レベルを越えたことを示すためのものである。インジケータ７４３としては、たとえばシリカゲルに塩化コバルトを吸着させたものを用いることができる。上記構成のインジケータ７４３は、乾燥時には青色を呈する一方、水分を吸収するとピンク色に変化する。吸湿ユニット７４０の側壁部に通気孔が設けられているため、吸湿ユニット７４０の周囲の水分は、まず吸湿剤７４２によって吸収される。そして、吸湿剤７４２の大部分において水分を吸収した後に、吸湿剤７４２の下側に配置されたインジケータ７４３によって水分を吸収する。
【００７９】
吸湿ユニット７４０における図中下側の壁面中央部分には、たとえば透明窓からなるインジケータ表示窓７４１が設けられている。インジケータ７４３が呈する色の変化は、インジケータ表示窓７４１およびカバー６００の中央部６３０を通じて外部から視認可能となっている。
【００８０】
次に、ＬＥＤ照明器具１０１の作用について説明する。
【００８１】
本実施形態によれば、図１を参照して上述したように、カバー６００の外縁部６２０は、平面視において、互いに平行な２対の第１辺６２１と、隣り合う第１辺６２１どうしをつなぐ第２辺６２２とによって囲まれている。また、隣り合う第１辺６２１と第２辺６２２とのなす角がいずれも鈍角であり、第２辺６２２の長さは第１辺６２１の長さよりも小である。これにより、カバー６００の外縁部６２０は、平面視において、矩形の４隅を切り落として第２辺６２２によって直線的につないだ形状となっている。このような構成によれば、支持部２００に支持された複数のＬＥＤチップ３０１からの光は、第１辺６２１および第２辺６２２のいずれにもほぼ同じ程度届くことになる。したがって、ＬＥＤ照明器具１０１によれば、概略矩形状の外縁を有するカバー６００を備えつつ、カバー６００の外縁が部分的に暗くなることを防止することができる。
【００８２】
カバー６００の第２辺６２２に対応する部位には、ＬＥＤチップ３０１からの光を屈折させて天井８００側に出射するための凹面レンズ６４０が形成されている。これにより、凹面レンズ６４０を透過した光の一部は、第２辺６２２の近傍の天井部分を照らす。このような構成によれば、第２辺６２２の周囲を明るくすることが可能であり、カバー６００の外縁が暗くなるのを防止するうえでより好ましい。
【００８３】
支持部２００は、センター部材２１０と、このセンター部材２１０に着脱可能に取り付けられる複数の支持部材２２０とを備える。このため、ＬＥＤ照明器具１０１の設置前においては、支持部２００を分解しておけばコンパクトにすることが可能であり、取り扱いが容易となる。
【００８４】
センター部材２１０に対する支持部材２２０の取り付けは、環状部２１１の外周に設けられた第１嵌合部２１２と、支持部材２２０に設けられた第２嵌合部２２１ａとの凹凸嵌合によって容易に行うことができる。
【００８５】
第１嵌合部２１２は断面Ｈ形状の凸部であり、第２嵌合部２２１ａは、第１嵌合部２１２を嵌入可能な断面Ｈ形状の凹部である。これら断面Ｈ形の嵌合部２１２，２２１ａについては断面係数が小さいので、嵌合部２１２，２２１ａにおいて応力集中を防止することができる。
【００８６】
センター部材２１０の環状部２１１は、周囲に配置された複数の支持部材２２０を支えており、センター部材２１０の骨格となる部分であるところ、この環状部２１１は、周方向に対して直角である断面がＨ形状となっている。このような構成は、強度面において有利である。
【００８７】
支持部材２２０は、第２嵌合部２２１ａを端部に有する中空状の支持バー２２１を備えており、この支持バー２２１に支持板２２２が固定されている。このような支持バー２２１の構成によれば、軽量化を図りつつ、支持板２２２を適切に支えることができる。
【００８８】
図４を参照するとよく理解されるように、支持板２２２は、図中下側（照射側）を向く支持面２２２ａを有する。そして、支持板２２２は、支持バー２２１に対して図中下側に位置する。これにより、支持面２２２ａ上にＬＥＤモジュール３００を配置するに際して支持バー２２１が妨げとなることはない。
【００８９】
図１を参照して上述したように、各支持部材２２０の外周縁は、平面視において、カバー６００の外縁部６２０の第１辺６２１に対向する第１周縁部２５１、および第２辺６２２に対向する第２周縁部２５２を有する。そして、４つの支持部材２２０がセンター部材２１０に取り付けられた状態において、これら支持部材２２０の外周は全体として略矩形状であり、第１辺６２１および第２辺６２２からなるカバー６００の外縁部６２０の形状に対応している。これにより、支持部材２２０に搭載されるＬＥＤモジュール３００については、カバー６００の外縁部６２０の形状に対応させて、この外縁部６２０から近い位置に配置することができる。このような構成は、カバー６００の外縁部６２０が暗くなるのを防止するのに適する。
【００９０】
ＬＥＤ照明器具１０１においては、吸湿剤７４２が収容された吸湿ユニット７４０を備えることにより、ＬＥＤモジュール３００（ＬＥＤチップ３０１）の耐久性を向上させることができる。また、吸湿ユニット７４０が外部から視認可能なインジケータ７４３を備えることにより、ユーザは吸湿ユニット７４０の交換時期を知ることができ、吸湿ユニット７４０の吸湿機能を適切に維持することができる。吸湿ユニット７４０の交換作業は、カバー６００の中央部６３０を取り外すことにより、容易に行うことができる。
【００９１】
本実施形態では、クリップ部材６６０によって支持部２００およびカバー６００の外周のほぼすべてを囲んでいる。これにより、ＬＥＤ照明器具１０１においては、外部に対する気密性が高くなっており、防湿性能を向上させることができる。
【００９２】
本発明に係るＬＥＤ照明器具は、上述した実施形態に限定されるものではない。本発明に係るＬＥＤ照明器具の各部の具体的な構成は、種々に設計変更自在である。
【００９３】
図１２は、支持部２００に対するカバー６００の取り付け構造の他の例を示す。図１２においては、支持部２００およびカバー６００を模式的に表す。カバー６００には、フック状の係止部６８０が２箇所に設けられている。支持部２００（支持部材２２０）には、上記係止部６８０を挿入可能な袋状の被係止部２８０が、係止部６８０の配置に対応する２箇所に設けられている。支持部２００の外縁とカバー６００の内周面との間には、カバー６００を支持部２００に被せた状態にて、係止部６８０を被係止部２８０に挿入するべくカバー６００の図中矢印Ｎ１方向への回転を許容する隙間が設けられている。このような構成によれば、設置部品等を介して天井８００に取り付けられた支持部２００に対して、カバー６００を容易に装着することができる。
【００９４】
図１３〜図２０は、本発明に係るＬＥＤ照明器具の一例を示している。本実施形態のＬＥＤ照明器具１０２は、支持部２０と、複数の光源部３０と、拡散反射板４０と、電源部５０と、非透光カバー６０と、透光カバー７０とを備えている。ＬＥＤ照明器具１０２は、シーリングライトとして用いられることが意図されたものであり、たとえば天井８００の給電部８０１に対して設置部品８０２を介して取り付けられる。図１４に示すｚ方向は、床から天井８００に向かう方向であり、本発明における第１の方向に相当する。また、図１４におけるｚ方向下方が照射側であり、ｚ方向上方が設置側である。図１３に示すｘ，ｙ方向は互いに直交しており、双方ともｚ方向と直交している。図１３に示すように、ＬＥＤ照明器具１０２はｚ方向視円形に形成されている。ｚ方向と直交し、かつ、ＬＥＤ照明器具１０２の直径に沿う方向を径方向とする。図１６に示す断面においては、径方向はｘ方向に沿う方向となっている。二点鎖線で示した中心線Ｃよりもｘ方向における図中左側においては、図中左方が径方向における外方となっており、逆に、中心線Ｃよりもｘ方向における図中右側においては、図中右方が径方向における外方となっている。
【００９５】
支持部２０は、たとえば金属製であり、ＬＥＤ照明器具１０２の土台となっている。支持部２０は、ｚ方向視において正八角形となるように形成されており、正八角形の辺に沿う８つの側面２１を備えている。支持部２０の中心は、ＬＥＤ照明器具１０２の中心と一致している。８つの側面２１は、径方向における一方側である外側と他方側である内側とを隔てている。支持部２０の径方向における内側は、８つの側面２１に囲まれている。なお、以降において、径方向における内方をＬＥＤ照明器具１０２の中心に近付く向きとし、外方を中心から遠ざかる向きとする。また、各側面２１は、ｚ方向を含む側面となっている。たとえば、図１６に示す断面に現われている２つの側面２１は、ｘ方向に対して垂直な面となっている。さらに、図１６に示すように、支持部２０の中央にはｚ方向視円形の空洞部２２が形成されている。ＬＥＤ照明器具１０２を天井８００に取り付けた際に、空洞部２２には設置部品８０２が入り込むようになっている。空洞部２２のｚ方向における図１６中下方には電源部５０が配置されている。
【００９６】
複数の光源部３０は、支持部２０に支持されている。図１３に示すように、複数の光源部３０は、支持部２０の側面２１のいずれかの径方向における外側に配置されている。
【００９７】
図１７〜図２０は、光源部３０をより詳細に説明するための図である。なお、図１７に示す光源部３０は、図１６に示す断面に現われている光源部３０のうち、図１６中左側のものである。本実施形態における他の光源部３０は、図１７〜図２０に示す光源部３０と同様の構成を備えており、向きを変えて支持部２０に固定されたものである。以下、図１７〜図２０に示す光源部３０について説明を行う。
【００９８】
光源部３０は、基板３１、複数のＬＥＤモジュール３２、保護部材３３、および、固定部材３４を有している。基板３１は、たとえばガラスエポキシ樹脂からなる絶縁基板であり、互いに反対側を向く設置面３１１および底面３１２を有している。設置面３１１および底面３１２は、ｘ方向視においてｙ方向に長く延びる長矩形状に形成されている。さらに、図１９に示すように、基板３１には、長手方向（図中ｙ方向）に離間する２対の貫通孔３１３が形成されている。各貫通孔３１３は、図１８に示すように基板３１を厚み方向（図中ｘ方向）に貫通している。
【００９９】
複数のＬＥＤモジュール３２は、図１７に示すように、基板３１の長手方向（図中ｙ方向）に沿って配列されている。各ＬＥＤモジュール３２は、図１８に示すように、設置面３１１に設置されている。各ＬＥＤモジュール３２は、平面視長矩形状とされている。図２０は、ＬＥＤモジュール３２の短手方向に対して直角である平面における断面図を示している。本図に示すようにＬＥＤモジュール３２は、１対のリード３２１、ＬＥＤチップ３２２、封止樹脂３２３、およびケース３２４を備えている。１対のリード３２１は、たとえばＣｕ合金からなり、その一方にＬＥＤチップ３２２が搭載されている。リード３２１のうちＬＥＤチップ３２２が搭載された面と反対側の面は、ＬＥＤモジュール３２を面実装するために用いられる実装端子３２５とされている。ＬＥＤチップ３２２は、ＬＥＤモジュール３２の光源であり、たとえば青色光を発光可能とされている。封止樹脂３２３は、ＬＥＤチップ３２２を保護するためのものである。封止樹脂３２３は、ＬＥＤチップ３２２からの光によって励起されることにより黄色光を発する蛍光物質を含む透光樹脂を用いて形成されている。これにより、ＬＥＤモジュール３２は、発する光の色温度を適宜設定可能である。上記蛍光物質としては、黄色光を発するものに代えて、赤色光を発するものと緑色光を発するものとを混合して用いてもよい。ケース３２４はたとえば白色樹脂からなり、ＬＥＤチップ３２２から側方に発された光を上方に反射するためのものである。なお、ＬＥＤチップ３２２は、２つのワイヤによって１対のリード３２１に接続される、いわゆる２ワイヤタイプのものでもよい。
【０１００】
保護部材３３は、ＬＥＤモジュール３２が出射する光を透過する材質により形成されており、ＬＥＤモジュール３２を覆って保護している。保護部材３３は、たとえばアクリル樹脂製である。図１７に示すように、保護部材３３は、ｘ方向視において、基板３１と重なる略長矩形状に形成されている。保護部材３３は一様な断面を有してｙ方向に長く延びるように形成されている。図１８に示すように、保護部材３３は、設置面３１１に当接する底面３３１と、底面３３１と直交する１対の側面３３２，３３３と、底面３３１の反対側に設けられたレンズ面３３４および１対のテーパ面３３５、３３６とを有している。
【０１０１】
図１８に示すように、保護部材３３には、底面３３１から図中左方に凹む凹部３３１ａが形成されている。ＬＥＤモジュール３２は凹部３３１ａ内に配置される。さらに、保護部材３３は、２対の貫通孔３１３に嵌合する２対の突出部３３１ｂを有している。図１８に示すように、各突出部３３１ｂは、底面３３１から図１８中右方に突出するように形成されている。各突出部３３１ｂの底面３３１からの突出長は、各貫通孔３１３の深さよりも短くなっている。このため、突出部３３１ｂが、貫通孔３１３を通り抜けて基板３１の底面３１２側に突出することはない。２対の突出部３３１ｂが各々２対の貫通孔３１３のいずれかに嵌合することにより、保護部材３３はｚ方向にずれることなく基板３１に固定される。
【０１０２】
図１８に示すように、１対の側面３３２，３３３はｚ方向において互いに離間している。保護部材３３は、側面３３２からｚ方向における設置側に突出する係合部３３２ａと、側面３３３からｚ方向における照射側に突出する係合部３３３ａとを有している。係合部３３２ａ，３３３ａは、それぞれ、１対の側面３３２，３３３の図１８中右端部からｚ方向に突出している。
【０１０３】
レンズ面３３４は、図１８に示すように、略円弧状の断面を有しており、ｘ方向視においてＬＥＤモジュール３２と重なる位置に設けられている。このレンズ面３３４は、ＬＥＤモジュール３２から出射された光を、ｘ方向に沿うように屈曲させる作用を有している。
【０１０４】
１対のテーパ面３３５，３３６は、ｚ方向においてレンズ面３３４を挟むように配置されている。テーパ面３３５は、側面３３２の図１８中左端縁と、レンズ面３３４の図１８中上端縁とを結ぶ面であり、ｘ方向において基板３１から遠ざかるにつれて、ｚ方向においてＬＥＤモジュール３２から遠ざかるように傾斜している。テーパ面３３６は、側面３３３の図１８中左端縁と、レンズ面３３４の図１８中下端縁とを結ぶ面であり、ｘ方向において基板３１から遠ざかるにつれて、ｚ方向においてＬＥＤモジュール３２から遠ざかるように傾斜している。
【０１０５】
固定部材３４は、たとえばアルミニウム製であり、図１７に示すように、保護部材３３を、ｙ方向における全長に渡って、ｚ方向において挟みこむように保持している。図１８に示すように、固定部材３４は、底板３４１と、底板３４１のｚ方向における図中上下の端からｘ方向に起立する１対の側板３４２，３４３を有している。底板３４１は、ｘ方向において基板３１の底面３１２と支持部２０の側面２１とに挟まれており、たとえばネジを介して側面２１に固定されている。１対の側板３４２，３４３は、ｚ方向において基板３１および保護部材３３を間に挟んで向かい合うように形成されている。さらに、固定部材３４は、ｚ方向において１対の側板３４２，３４３に挟まれる１対の支持板３４５，３４７と、板バネ部３４４，３４６とを有している。板バネ部３４４は、側板３４２の図１８中左端縁と連結されており、板バネ部３４６は側板３４３の図１８中左端縁と連結されている。支持板３４５は、板バネ部３４４を介して側板３４２に連結されており、支持板３４７は、板バネ部３４６を介して側板３４３に連結されている。
【０１０６】
支持板３４５は、図１８に示すように、保護部材３３の側面３３２に接している。支持板３４５の側面３３２に接する当接面３４５ａは、研磨処理が施されており、平滑な鏡面に形成されている。支持板３４５のｘ方向における図１８中右端は、側板３４２のｘ方向における図１８中左端より、図１８中右側に位置している。板バネ部３４４は、支持板３４５のｘ方向における図１８中右端と、側板３４２のｘ方向における図１８中左端とを連結している。板バネ部３４４が自然状態のときには、図１８に示す状態よりも支持板３４５は図１８中下方に配置される。図１８に示す状態では、板バネ部３４４は、自然状態よりもｚ方向寸法が短くなっている。このとき、支持板３４５には図１８中下方に向かう力が加えられることになり、当接面３４５ａが側面３３２をｚ方向下方に押圧することになる。さらに、支持板３４５のｘ方向における図１８中右端は、係合部３３２ａに当接している。板バネ部３４４により支持板３４５は、係合部３３２ａをｘ方向における図１８中右方へ押圧する。
【０１０７】
支持板３４７は、図１８に示すように、保護部材３３の側面３３３に接している。支持板３４７の側面３３３に接する当接面３４７ａは、研磨処理が施されており、平滑な鏡面に形成されている。支持板３４７のｘ方向における図１８中右端は、側板３４３のｘ方向における図１８中左端より、図１８中右側に位置している。板バネ部３４６は、支持板３４７のｘ方向における図１８中右端と、側板３４３のｘ方向における図１８中左端とを連結している。板バネ部３４６が自然状態のときには、図１８に示す状態よりも支持板３４７は図１８中上方に配置される。図１８に示す状態では、板バネ部３４６は、自然状態よりもｚ方向寸法が短くなっている。このとき、支持板３４７には図１８中上方に向かう力が加えられることになり、当接面３４７ａが側面３３３をｚ方向上方に押圧することになる。さらに、支持板３４７のｘ方向における図１８中右端は、係合部３３３ａに当接している。板バネ部３４６により支持板３４７は、係合部３３３ａをｘ方向における図１８中右方へ押圧する。
【０１０８】
拡散反射板４０は、たとえばＬＥＤモジュール３２からの光を反射する白色樹脂によって形成されており、支持部２０のｚ方向における設置側に配置されている。図１３に示すように、拡散反射板４０の外側の輪郭はｚ方向視円形である。この円の直径は、ＬＥＤ照明器具１０２の外側の輪郭を成す円の直径よりも小さくなっている。拡散反射板４０には、図１５に示すように中央に円形の開口部４１が形成されている。この開口部４１は、設置部品８０２を設置側に露出させるためのものである。さらに、図１６に示すように、拡散反射板４０は、径方向における外方ほど、ｚ方向における照射側に変位する傾斜部４２を備えている。図１６に示すように、傾斜部４２は、ｘ方向において光源部３０から遠ざかるにつれて、ｚ方向における照射側に変位している。傾斜部４２は、ｚ方向視円環状に形成されており、拡散反射板４０の径方向における外周縁を成している。この傾斜部４２は、たとえば、図１６に示すように、径方向視において光源部３０と重なるように形成されている。
【０１０９】
電源部５０は、天井８００の給電部８０１から供給されるたとえば交流１００Ｖ電力を、ＬＥＤチップ３２２を点灯させるのに適した電圧の直流電力に変換し、これを複数のＬＥＤモジュール３２に供給するためのものである。電源部５０は、たとえばトランス、コンデンサ、抵抗器、ダイオード、ＩＣなどを備える。また、電源部５０は、８個の光源部３０を独立して制御することが可能である。電源部５０は、図示しない照度センサに接続されている。電源部５０は、照度センサが検出する部屋の明るさに応じて、複数のＬＥＤモジュール３２の一部を消灯させることが可能である。
【０１１０】
非透光カバー６０は、支持部２０のｚ方向における照射側に配置されており、たとえばアルミニウム製であり、ｚ方向視円形に形成されている。図１３に示すように、非透光カバー６０の外周付近には開口部６１が形成されている。先述した図示しない照度センサはこの開口部６１に臨むように非透光カバー６０に固定されている。この非透光カバー６０は、図１６に示すように、空洞部２２のｚ方向における図中下端に、周動可能なように嵌め込まれている。非透光カバー６０を周方向に沿って回転させることによって照度センサの位置を変更することが可能となっている。
【０１１１】
なお、非透光カバー６０の外周沿いの異なる位置に複数の開口部を設けておき、各開口部に上記の照度センサを接続可能なコネクタを設けておくことで、照度センサの位置を変更可能な構成としてもよい。また、樹脂で配線を被覆して形成される接続部品を介して、照度センサと電源部５０とを接続するようにして、照度センサの位置を自由に設定できるようにしてもよい。
【０１１２】
透光カバー７０は、ＬＥＤ照明器具１０２の外観のほとんどすべてを構成するものであり、乳白色の半透明樹脂からなり、照射側被覆部７１と、外縁部７２と、設置側被覆部７３とを有している。図１３に示すように、照射側被覆部７１は、ｚ方向視において非透光カバー６０を囲む円環状に形成されている。外縁部７２は、図１６に示すように、照射側被覆部７１の外周縁からｚ方向に延出するように形成されている。設置側被覆部７３は、図１５に示すように、中央に円形の開口部７３１が形成されたｚ方向視円環状に形成されている。設置側被覆部７３の外周縁は外縁部７２に接続されている。設置側被覆部７３は、拡散反射板４０よりも、ｚ方向における設置側に位置している。図１６に示すように、拡散反射板４０の径方向（図中ｘ方向）における外方側の端部は、設置側被覆部７３の径方向（図中ｘ方向）における外方側の端部よりも、径方向（図中ｘ方向）における内方側に位置している。
【０１１３】
図１６に示すように、照射側被覆部７１は、径方向において中心から遠ざかるにつれてｚ方向において天井８００に近付くように傾斜している。照射側被覆部７１のｚ方向における下端は、支持部２０のｚ方向における照射側（図中下側）に配置されている。設置側被覆部７３は、支持部２０および拡散反射板４０のｚ方向における設置側（図中上側）に配置されている。開口部７３１の直径は、拡散反射板４０の直径よりも小さくなっており、開口部７３１から拡散反射板４０が露出するようになっている。換言すれば、ＬＥＤ照明器具１０２の設置側には、比較的小さく形成された拡散反射板４０に覆われていない部分が生じており、この部分を設置側被覆部７３が覆っている。
【０１１４】
次に、ＬＥＤ照明器具１０２の作用について説明する。
【０１１５】
本実施形態では、複数の光源部３０がそれぞれ径方向における外方に向けて光を出射するように設置されている。各光源部３０には、径方向視においてＬＥＤモジュール３２と重なる位置に、光を径方向に沿わせるためのレンズ面３３４が設けられている。このことは、ＬＥＤモジュール３２から出射される光のより多くを径方向に沿って進行させることを意図したものである。光源部３０から径方向に沿って進行する光の一部は、傾斜部４２によって床面に向けて反射される。このような構成によれば、ＬＥＤ照明器具１０２の直下における照度を確保しやすくなる。光源部３０から径方向に沿って進行する光のうち、傾斜部４２に反射されなかったものは、透光カバー７０に到達する。透光カバー７０は、乳白色の半透明の樹脂からなるため、入射してきた光の一部を散乱させつつ、残りを透過させる。透光カバー７０をほぼ水平に通り抜けた光はＬＥＤ照明器具１０２の径方向における遠方を照明する。
【０１１６】
ＬＥＤモジュール３２からの光が全てレンズ面３３４に向かうわけではない。ＬＥＤモジュール３２から出射された光の一部は、保護部材３３内部を進行して当接面３４５ａまたは当接面３４７ａに到達する。前述したように、当接面３４５ａ，３４７ａは、研磨処理が施されて鏡面に形成されており、当接面３４５ａ，３４７ａは好ましく反射されて再度保護部材３３内を進行する。当接面３４５ａによって反射された光は、テーパ面３３５からｚ方向照射側に向けて出射される。当接面３４７ａによって反射された光は、テーパ面３３６からｚ方向設置側に向けて出射される。
【０１１７】
テーパ面３３５からｚ方向照射側に向けて出射される光は照射側被覆部７１に到達する。また、テーパ面３３６から出射される光の一部は拡散反射板４０によって反射された後に照射側被覆部７１に到達する。これらの光の多くはｚ方向における照射側を照明するのに用いられることになる。しかしながら、一部の光は、照射側被覆部７１によってｚ方向における設置側へ反射され、拡散反射板４０に反射されることなく、設置側被覆部７３へ入射する。テーパ面３３６から出射される光の一部も拡散反射板４０に当たらず設置側被覆部７３へ入射する。設置側被覆部７３を経た光は、ｚ方向における設置側へ出射され、天井８００を照明することになる。このため、ＬＥＤ照明器具１０２は、光源部３０からの光の大部分を照射側へ向かわせる構造を備えつつ、一部の光を設置側に出射することが可能となっている。従って、ＬＥＤ照明器具１０２は、天井８００をより明るく照明することが可能であり、従来のＬＥＤ照明器具で問題となっていた、天井８００が暗く見えてしまうことを防ぐことが可能である。
【０１１８】
保護部材３３および基板３１を支持部２０の固定する方法として、たとえば、保護部材３３を貫通するネジを用いて支持部２０に固定する方法が従来から知られている。しかしながら、このような方法によれば、アクリル樹脂からなる保護部材３３が割れたり、変形したりすることがある。本実施形態における光源部３０では、アクリル製の保護部材３３がｚ方向における図１８中上下から１対の支持板３４５，３４７によって圧力を加えられることで支持されている。このような固定方法によれば、保護部材３３が損傷する可能性は小さくなる。また、保護部材３３に設けられている２対の突出部３３１ｂが基板３１に形成されている２対の貫通孔３１３に嵌合しているため、保護部材３３がｚ方向にずれることもない。
【０１１９】
さらに、図１８に示すように、１対の支持板３４５，３４７の図中右端は１対の係合部３３２ａ，３３３ａに当接している。板バネ部３４４，３４６により１対の支持板３４５，３４７にはｘ方向における図中右方に向けて力が加えられるため、１対の係合部３３２ａ，３３３ａには基板３１を底板３４１に押し付ける力が加わることになる。このことは、保護部材３３および基板３１を固定する上で望ましいことである。
【０１２０】
以下、図２１および図２２を参照にしつつ、光源部３０の好ましい別の実施例を説明する。なお、図２１および図２２において、図１８に示した光源部３０の実施例と同一または類似の要素には、上記実施形態と同一の符号を付しており、適宜説明を省略する。
【０１２１】
図２１に示す光源部３０では、１対の支持板３４５，３４７が、１対の側板３４２，３４３から分離されている。１対の側板３４２，３４３にはそれぞれｚ方向に貫通する孔部３４２ａ，３４３ａが形成されている。これらの孔部３４２ａ，３４３ａの内周には、たとえば雌ネジが彫り込まれている。孔部３４２ａ，３４３ａに、前記の雌ネジに螺合する雄ネジ３５１，３５２が捻じ込まれることにより、１対の支持板３４５，３４７は、保護部材３３をｚ方向に挟み込んで支持している。図２１に示す保護部材３３は、図１８に示す保護部材３３と異なり、係合部３３２ａ，３３３ａを有していない。１対の支持板３４５，３４７のｘ方向における右端は底板３４１に当接している。このような固定方法によっても、保護部材３３が損傷するのを予防することができる。
【０１２２】
図２２に示す光源部３０では、固定部材３４が保護部材３３と一体となっている。図２２に示す例では、支持部２０が比較的薄い金属板を組み合わせることにより構成されている。図２２に示す支持部２０は、ｘ方向における外側に側面２１を有する板状部材２１Ａを備えている。板状部材２１Ａには、側面２１に開口する２対の貫通孔２１ａが形成されている。２対の貫通孔２１ａは、ｘ方向視において２対の貫通孔３１３と重なる位置に形成されている。本実施例における固定部材３４は、２対の貫通孔３１３に対応する２対の突出部からなる。図２２には、２対の突出部のうちの１対の突出部３４Ａ、３４Ｂが現れている。１対の突出部３４Ａ，３４Ｂは、保護部材３３の底面３３１のｚ方向における図２２中上下の端部からｘ方向における図２２中右方に突出している。１対の突出部３４Ａ，３４Ｂは、１対の貫通孔２１ａおよび１対の貫通孔３１３を通り抜けて、板状部材２１Ａのｘ方向における内方側にまで到達している。図２２に示すように、１対の突出部３４Ａ，３４Ｂはｘ方向における図中右端部は断面楔状に形成されており、保護部材３３が板状部材２１Ａから抜けにくくなっている。このような固定方法によっても、保護部材３３が損傷するのを予防することができる。
【０１２３】
図２３〜図３４は、本発明の他の実施形態を示している。なお、これらの図において、上記実施形態と同一または類似の要素には、上記実施形態と同一の符号を付している。
【０１２４】
図２３および図２４には、本発明の第３実施形態に基づくＬＥＤ照明器具を示している。図２３および図２４に示すＬＥＤ照明器具１０３は、拡散反射板４０と透光カバー７０の構成がＬＥＤ照明器具１０２の場合と異なっており、その他の構成はＬＥＤ照明器具１０２と同様となっている。
【０１２５】
本実施形態における拡散反射板４０には、ｚ方向に貫通する複数の窓部４３が形成されている。図２４に示すように、複数の窓部４３は、円周に沿うように配列されている。また、本実施形態における透光カバー７０は、ＬＥＤ照明器具１０２の場合と異なり、設置側被覆部７３を有さず、照射側被覆部７１および外縁部７２によって構成されている。このため、ＬＥＤ照明器具１０２において設置側被覆部７３が蓋をした領域を、本実施形態では拡散反射板４０が蓋をする構造となっている。本実施形態では、外縁部７２が傾斜部４２に当接している。
【０１２６】
本実施形態では、光源部３０から出射された光の一部が、複数の窓部４３からＬＥＤ照明器具１０３の設置側へ出射される。このようなＬＥＤ照明器具１０３によっても天井８００をより明るく照明することが可能である。
【０１２７】
図２５〜図２７には、本発明の第４実施形態に基づくＬＥＤ照明器具を示している。図２５〜図２７に示すＬＥＤ照明器具１０４は、ＬＥＤ照明器具１０３の構成に加えて、拡散反射板４０のｚ方向における設置側に配置された導光体８１と、導光体８１の一部を覆うリフレクタ８２と、反射部品８３とをさらに備えている。
【０１２８】
導光体８１は、たとえば透明なアクリル樹脂製であり、ｚ方向視円環形の板状に形成されており、ｚ方向における照射側の面が拡散反射板４０に当接するように設置されている。図２５に示すように、導光体８１の内周を成す円は、径方向において複数の窓部４３の内方に位置している。導光体８１の外周を成す円は、径方向において外縁部７２の外方に位置している。図２６に示すように導光体８１は、窓部４３から拡散反射板４０のｚ方向における照射側に臨む入射部８１１と、出射面８１２，８１３とを有している。リフレクタ８２は、たとえば白色樹脂製であり、図２６に示すように、導光体８１のｚ方向における設置側を覆っている。ただし、リフレクタ８２が覆っているのは、導光体８１の径方向における内寄りの領域であり、径方向における外寄りの領域はリフレクタ８２から露出している。導光体８１のｚ方向における設置側を向く面のうち、リフレクタ８２から露出する部分が出射面８１２を構成している。また、導光体８１のｚ方向における照射側を向く面のうち、ｚ方向視において拡散反射板４０と重ならない部分が、出射面８１３を構成している。
【０１２９】
光源部３０から出射された光の一部は入射部８１１から導光体８１内に入射し、導光体８１内で反射しながら、径方向における外方に進行していく。導光体８１の径方向における内寄りの領域は、ｚ方向においてリフレクタ８２と拡散反射板４０に挟まれており、導光体８１内の光が外部に出射されにくくなっている。導光体８１の内部を径方向に沿って進行した光は、出射面８１２または出射面８１３から出射される。出射面８１２から出射される光が天井８００を照明するため、ＬＥＤ照明器具１０４によっても天井８００をより明るく照明することが可能である。
【０１３０】
反射部品８３は、たとえば金属製であり、ｚ方向視円環状に形成されている。反射部品８３は、導光体８１の径方向における外方の端縁に嵌合するように形成されている。反射部品８３の径方向における内方の面は研磨されて鏡面に形成されている。導光体８１内を進行して、外方の端縁にまで達した光は、この鏡面によって内方に反射され、出射面８１２または出射面８１３から出射される。なお、反射部品８３は、たとえば白色樹脂で形成しても構わない。
【０１３１】
図２７には、導光体８１のｘ方向における外方の端部付近を拡大して示している。図２７に示すように、出射面８１２は、複数の平滑面８１２Ａと、凹凸が形成された複数の粗面８１２Ｂとを有している。図２７に示す例では、ｘ方向に沿って平滑面８１２Ａと粗面８１２Ｂとが交互に配置されている。各平滑面８１２Ａの径方向（図２７中ｘ方向）における寸法は、各粗面８１２Ｂの径方向（図２７中ｘ方向）における寸法よりも短くなっている。たとえば、各平滑面８１２Ａの径方向寸法は０．２ｍｍであり、各粗面８１２Ｂの径方向寸法は０．３ｍｍである。粗面８１２Ｂは、たとえば、フロスト加工を施すことにより形成可能である。このような粗面８１２Ｂに入射した光の一部は散乱されて、導光体８１内部に戻る。粗面８１２Ｂによって散乱された光の進行方向は様々な方向となる。このため、仮に出射面８１２の全面を平滑面８１２Ａとした場合よりも径方向における外方に届く光が増加する。
【０１３２】
図２７に示したのは導光体８１の好ましい実施例の一つである。図２８〜図３０には、導光体８１の他の好ましい実施例をそれぞれ示している。
【０１３３】
図２８に示す例では、導光体８１のｚ方向における照射側に、設置側を向く反射面８４ａを有する反射部材８４が設けられている。また、出射面８１２はその全体が平滑面８１２Ａによって構成されている。このような実施例によれば、反射面８４ａによって反射された光が出射面８１２から出射され、より明るく天井８００を照明することができる。なお、図２７に示す場合のように、出射面８１２を複数の平滑面８１２Ａと、複数の粗面８１２Ｂとで構成してもよい。
【０１３４】
図２９に示す例では、導光体８１が、導光体８１Ａと、導光体８１Ａよりもｚ方向における照射側に配置された導光体８１Ｂとで構成されている。図２９に示すように、導光体８１Ａ，８１Ｂは、ｚ方向において反射部材８４を挟みこんでいる。反射部材８４は、ｚ方向における設置側を向く反射面８４ａおよび照射側を向く反射面８４ｂを有している。導光体８１Ａは、ｚ方向における設置側を向く出射面８１２を有し、導光体８１Ｂは、ｚ方向における照射側を向く出射面８１３を有している。このような導光体８１を用いても、天井８００を照明することが可能である。
【０１３５】
図３０に示す例では、導光体８１が、導光体８１Ａと、導光体８１Ａよりもｚ方向における照射側に配置された導光体８１Ｂと、ｚ方向において導光体８１Ａ，８１Ｂに挟まれた導光体８１Ｃとで構成されている。図２９に示すように、導光体８１Ａ，８１Ｃは、ｚ方向において反射部材８４を挟みこんでおり、導光体８１Ｂ，８１Ｃは、ｚ方向において反射部材８５を挟みこんでいる。このような導光体８１を用いても、天井８００を照明することが可能である。導光体８１Ｃ内を進行する光は、ｚ方向における図３０中上下に反射部材８４，８５が配置されているため、径方向における外方の端部まで進行してから、導光体８１Ｃの外側に出射される。
【０１３６】
図３１および図３２には、本発明の第５実施形態に基づくＬＥＤ照明器具を示している。図３１および図３２に示すＬＥＤ照明器具１０５は、側面２１が傾斜しており、光源部３０の構造がＬＥＤ照明器具１０２の場合と異なっている。さらに、ＬＥＤ照明器具１０５は、支持部２０のｚ方向における照射側に設置された追加の光源部３０Ａと、透光カバー７０および非透光カバー６０の替わりに設けられる透光カバー７０１，７０２とを備えている。
【０１３７】
本実施形態における側面２１は、径方向に対して垂直な面に対して傾斜しており、ｚ方向における設置側ほど径方向における外方側に変位している。
【０１３８】
本実施形態における光源部３０は、互いに反対を向く設置面と底面とを有する基板３６と、ＬＥＤモジュール３２と、保護部材３７とを備えている。基板３６は、底面が側面２１に固定されている。基板３６の設置面には、たとえば白色の高反射レジストが塗布されている。ＬＥＤモジュール３２は基板３６の設置面に設置される。保護部材３７は、たとえば透明なアクリル樹脂製であり、ＬＥＤモジュール３２を覆うように形成されている。保護部材３７は、たとえば、断面が略半円である管状に形成されている。このような光源部３０は、ＬＥＤ照明器具１０２における光源部３０よりも大幅に簡略なものであり、製造コストの削減を図るのに適している。
【０１３９】
追加の光源部３０Ａは、ｚ方向における照射側を向く設置面を有する基板３６Ａと、基板３６Ａの設置面に設置された複数のＬＥＤモジュール３２とを備えている。透光カバー７０２は、ｚ方向視円形であり、基板３６Ａを覆うように形成されている。図３２に示すように、透光カバー７０２のｚ方向における照射側の端部は、透光カバー７０１のｚ方向における照射側の端部よりもｚ方向における照射側に突き出している。このとき、透光カバー７０２の径方向における外周面の一部が、透光カバー７０１よりもｚ方向における照射側に配置されることになり、この部分から、ｚ方向における外方に向かう光が出射されることになる。
【０１４０】
透光カバー７０１は、図３１に示すように、ｚ方向視において透光カバー７０２を囲む円環状に形成されている。図３２に示すように、透光カバー７０１はｚ方向を厚み方向とする薄板状に形成されている。透光カバー７０１のｚ方向における厚みは、径方向における外方ほど薄くなっている。具体的には、透光カバー７０１のｚ方向における設置側の面はｚ方向に垂直な面であり、照射側の面が径方向における外方ほどｚ方向における設置側に変位するように傾斜している。このような構造によれば、光源部３０からの光が比較的届きにくい径方向における外方において、透光カバー７０１が光を吸収して光量を減衰させてしまうことを防ぎやすくなる。
【０１４１】
本実施形態における透光カバー７０１の外周を成す円の直径は、拡散反射板４０の外周を成す円の直径の２倍以上の長さとなっている。
【０１４２】
本実施形態では、側面２１が傾斜しているため、光源部３０から出射される光は、照射側に向かいやすくなっている。しかしながら、本実施形態では光源部３０から出射される光をレンズ等で方向修正していないため、一部の光は設置側にも出射される。設置側に出射された光の一部は拡散反射板４０の径方向における外側を通って天井８００を照明する。
【０１４３】
図３３および図３４には、本発明に基づくＬＥＤ照明器具と類似の構成を備えたＬＥＤ照明器具を示している。図３３および図３４に示すＬＥＤ照明器具１０６では、拡散反射板４０に基板３６が設置されている。基板３６にはＬＥＤモジュール３２が設置されている。ＬＥＤ照明器具１０６は、ｚ方向視円環状の導光体８１’を備えている。
【０１４４】
ＬＥＤ照明器具１０６では、拡散反射板４０の外周を成す円と透光カバー７０の外周を成す円とはほぼ重なっている。導光体８１’は、拡散反射板４０の外周縁にほぼ沿うように形成されている。
【０１４５】
導光体８１’は、図３４に示すように、ｚ方向において拡散反射板４０と透光カバー７０とに挟まれるように設置されており、径方向における内方の端に入射部８１１を有している。さらに、導光体８１’は、ｚ方向における設置側を向く出射面８１２と、照射側を向く出射面８１３とを有している。導光体８１’のｚ方向における厚み寸法は、たとえば８ｍｍ〜１０ｍｍであり、径方向における幅寸法は１０〜２５ｍｍである。この導光体８１’は、ＬＥＤ照明器具１０４における導光体８１の径方向における外方の端部付近と類似した構成を備えている。
【０１４６】
導光体８１’の出射面８１２は、図２７に示したように、平滑面８１２Ａと粗面８１２Ｂとが交互にならぶ構成であっても構わない。図２８〜図３０に示した構造も適用可能である。
【０１４７】
本発明に基づくＬＥＤ照明器具は、上述した実施形態に限定されるものではない。本発明に基づくＬＥＤ照明器具の各部の具体的な構成は、種々に設計変更自在である。
【０１４８】
たとえば、ＬＥＤ照明器具１０２〜１０３における基板３１には、径方向に貫通する貫通孔３１３が形成されているが、必ずしも貫通している必要はなく、径方向における内方へ凹む凹部であってもよい。
【０１４９】
たとえば、ＬＥＤ照明器具１０２〜１０３における基板３１の設置面３１１もＬＥＤ照明器具１０５における基板３６の設置面と同様に白色のレジストで覆っても構わない。
【０１５０】
本発明の第２の側面によって提供されるＬＥＤ照明器具の技術的構成について、以下に付記する。
〔付記１〕
少なくとも１以上のＬＥＤチップを含む光源部と、
上記光源部を支持する支持部と、
少なくとも一部が上記支持部の第１の方向における一方側である照射側に配置され、上記光源部からの光を透過する透光カバーと、
上記支持部の上記第１の方向における他方側である設置側に配置され、上記光源部からの光を反射する拡散反射板と、
を備えたＬＥＤ照明器具であって、
上記支持部は、上記第１の方向と直交する第２の方向における一方側である外側と、他方側である内側とを隔てる複数の側面を有しており、
上記第２の方向における内側は、上記複数の側面に囲まれており、
上記光源部は、上記複数の側面のいずれかである第１の側面の上記第２の方向における外側に配置されていることを特徴とする、ＬＥＤ照明器具。
〔付記２〕
上記第１の側面は上記第２の方向に対して垂直である、付記１に記載のＬＥＤ照明器具。
〔付記３〕
上記光源部は、互いに反対を向く設置面および底面を有する基板と、上記ＬＥＤチップからの光を透過し、かつ、上記ＬＥＤチップを覆う保護部材と、上記基板および上記保護部材を上記第１の側面に固定する固定部材と、を有しており、上記ＬＥＤチップは上記基板の設置面側に設置されている、付記２に記載のＬＥＤ照明器具。
〔付記４〕
上記保護部材は、上記第２の方向視において、上記ＬＥＤチップと重なるレンズ面を有している、付記３に記載のＬＥＤ照明器具。
〔付記５〕
上記保護部材は、上記第１の方向において、上記レンズ面を挟むように配置される１対のテーパ面を有しており、
上記１対のテーパ面は、それぞれ、上記第１の方向において上記レンズ面から遠ざかるにつれて、上記第２の方向において上記ＬＥＤチップから遠ざかるように傾斜している、付記４に記載のＬＥＤ照明器具。
〔付記６〕
上記固定部材は、上記第２の方向において上記底面と上記第１の側面とに挟まれる底板と、上記底板から上記第２の方向に起立する１対の側板とを有しており、
上記１対の側板が、上記第１の方向において上記保護部材を挟んでいる、付記３ないし５のいずれかに記載のＬＥＤ照明器具。
〔付記７〕
上記固定部材は、上記第１の方向において上記１対の側板に挟まれた上記１対の支持板を有しており、
上記１対の支持板は、上記第１の方向において上記保護部材を挟み込んで支持している、付記６に記載のＬＥＤ照明器具。
〔付記８〕
上記保護部材は、上記第１の方向に離間する１対の側面と、上記１対の側面のうち、上記第１の方向における設置側に位置する側面から上記第１の方向の設置側に突出する第１の係合部と、上記１対の側面のうち、上記第１の方向における照射側に位置する側面から上記第１の方向の照射側に突出する第２の係合部と、を有しており、
上記１対の支持板のうち、上記第１の方向における設置側に位置する支持板が上記第１の係合部に当接し、上記第１の方向における照射側に位置する支持板が上記第２の係合部に当接している、付記７に記載のＬＥＤ照明器具。
〔付記９〕
上記１対の支持板のうち、上記第１の方向における設置側に位置する支持板は、上記第１の方向における照射側を向く鏡面を有しており、上記第１の方向における照射側に位置する支持板は、上記第１の方向における設置側を向く鏡面を有している、付記７または８に記載のＬＥＤ照明器具。
〔付記１０〕
上記基板には、上記第２の方向に貫通する貫通孔が形成されており、
上記保護部材は、上記貫通孔に嵌合する突出部を有している、付記７ないし９のいずれかに記載のＬＥＤ照明器具。
〔付記１１〕
上記基板には、上記第２の方向に貫通する貫通孔が形成されており、
上記第１の側面には、上記第２の方向視において上記貫通孔と重なる開口が形成されており、
上記保護部材は、上記設置面と接する底面を有しており、
上記固定部材は、上記保護部材の底面から上記第２の方向に突出し、上記貫通孔を通って上記開口に到達している、付記５に記載のＬＥＤ照明器具。
〔付記１２〕
上記拡散反射板は、上記第２の方向において上記光源部から遠ざかるにつれて、上記第１の方向における照射側に変位する傾斜部を有しており、
上記傾斜部は、上記第２の方向視において上記光源部と重なっている、付記１ないし１１のいずれかに記載のＬＥＤ照明器具。
〔付記１３〕
上記透光カバーは、照射側被覆部と、上記照射側被覆部よりも上記第１の方向における設置側に位置する設置側被覆部と、を備えている、付記１ないし１２のいずれかに記載のＬＥＤ照明器具。
〔付記１４〕
上記設置側被覆部は、上記拡散反射板よりも、上記第１の方向における設置側に位置している、付記１３に記載のＬＥＤ照明器具。
〔付記１５〕
上記拡散反射板の上記第２の方向における一方側の端部は、上記設置側被覆部の上記第２の方向における一方側の端部よりも、上記第２の方向における他方側に位置している、付記１４に記載のＬＥＤ照明器具。
〔付記１６〕
上記拡散反射板には、上記第１の方向に貫通する窓部が形成されている、付記１ないし１２のいずれかに記載のＬＥＤ照明器具。
〔付記１７〕
上記拡散反射板よりも上記第１の方向における設置側に配置される導光体を備えており、
上記導光体は、上記窓部から上記拡散反射板の上記第１の方向における照射側に臨む入射部と、上記設置側を向く出射面とを有している、付記１６に記載のＬＥＤ照明器具。
〔付記１８〕
上記出射面は、平滑面と、凹凸が形成された粗面とを有している、付記１７に記載のＬＥＤ照明器具。
〔付記１９〕
上記平滑面の上記第２の方向における幅寸法は、上記粗面の上記第２の方向における幅寸法よりも短い、付記１８に記載のＬＥＤ照明器具。
〔付記２０〕
上記設置側を向く反射面を有し、上記導光体の上記第１の方向における照射側に配置された反射部材を備えている、付記１９に記載のＬＥＤ照明器具。
〔付記２１〕
上記反射部材の上記第１の方向における照射側に配置され、かつ、上記照射側を向く追加の出射面を有する追加の導光体を備えている、付記２０に記載のＬＥＤ照明器具。
〔付記２２〕
上記導光体の上記第２の方向における一方側の端部を覆う、反射部品を備える、付記１７ないし２１のいずれかに記載のＬＥＤ照明器具。
〔付記２３〕
上記第１の側面は、上記第２の方向に垂直な面に対して傾斜しており、上記第１の方向における設置側ほど上記第２の方向における一方側に変位している、付記１に記載のＬＥＤ照明器具。
〔付記２４〕
上記光源部は、互いに反対を向く設置面および底面を有する基板を有しており、
上記底面は、上記第１の側面に当接しており、
上記ＬＥＤチップは上記基板の設置面側に設置されている、付記２３に記載のＬＥＤ照明器具。
【符号の説明】
【０１５１】
２０      支持部
２１      側面
２１Ａ    板状部材
２１ａ    貫通孔
２２      空洞部
３０      光源部
３０Ａ    光源部
３１      基板
３２      ＬＥＤモジュール
３３      保護部材
３４      固定部材
３４Ａ    突出部
３６      基板
３６Ａ    基板
３７      保護部材
４０      拡散反射板
４１      開口部
４２      傾斜部
４３      窓部
５０      電源部
６０      非透光カバー
６１      開口部
７０      透光カバー
７１      照射側被覆部
７２      外縁部
７３      設置側被覆部
８１      導光体
８１Ａ    導光体
８１Ｂ    導光体
８１Ｃ    導光体
８２      リフレクタ
８３      反射部品
８４      反射部材
８４ａ    反射面
８４ｂ    反射面
８５      反射部材
１０１    ＬＥＤ照明器具
１０２    ＬＥＤ照明器具
１０３    ＬＥＤ照明器具
１０４    ＬＥＤ照明器具
１０５    ＬＥＤ照明器具
１０６    ＬＥＤ照明器具
２００    支持部
２１０    センター部材
２１１    環状部
２１２    嵌合部
２２０    支持部材
２２１    支持バー
２２１ａ  第２嵌合部
２２２    支持板
２２２ａ  支持面
２２３    バックアップ板
２２３ａ  端部
２３０    連結部材
２４０    ＬＥＤ基板
２５４    鍔部
２６０    支持ステー
２６１    ＬＥＤ基板
２７０    緩衝材
２８０    被係止部
３００    ＬＥＤモジュール
３０１    ＬＥＤチップ
３０２    リード
３０３    実装端子
３０４    ケース
３０５    封止樹脂
３１１    設置面
３１２    底面
３１３    貫通孔
３２１    リード
３２２    ＬＥＤチップ
３２３    封止樹脂
３２４    ケース
３２５    実装端子
３３１    底面
３３１ａ  凹部
３３１ｂ  突出部
３３２    側面
３３２ａ  係合部
３３３    側面
３３３ａ  係合部
３３４    レンズ面
３３５    テーパ面
３３６    テーパ面
３４１    底板
３４２    側板
３４２ａ  孔部
３４３    側板
３４４    板バネ部
３４５    支持板
３４５ａ  当接面
３４６    板バネ部
３４７    支持板
３４７ａ  当接面
３５１    雄ネジ
４００    電源部
５００    受信部
６００    カバー
６１０    傾斜部
６２０    外縁部
６２１    第１辺
６２１ａ  辺
６２１ｂ  辺
６２２    第２辺
６３０    中央部
６４０    凹面レンズ
６５０    係止鍔部
６６０    クリップ部材
６８０    係止部
７０１    透光カバー
７０２    透光カバー
７３１    開口部
７４０    吸湿ユニット
７４１    インジケータ表示窓
７４２    吸湿剤
７４３    インジケータ
８００    天井
８０１    給電部
８０２    設置部品
８１１    入射部
８１２    出射面
８１２Ａ  平滑面
８１２Ｂ  粗面
８１３    出射面
【図１】
0006022197.tif 000002
【図２】
0006022197.tif 000003
【図３】
0006022197.tif 000004
【図４】
0006022197.tif 000005
【図５】
0006022197.tif 000006
【図６】
0006022197.tif 000007
【図７】
0006022197.tif 000008
【図８】
0006022197.tif 000009
【図９】
0006022197.tif 000010
【図１０】
0006022197.tif 000011
【図１１】
0006022197.tif 000012
【図１２】
0006022197.tif 000013
【図１３】
0006022197.tif 000014
【図１４】
0006022197.tif 000015
【図１５】
0006022197.tif 000016
【図１６】
0006022197.tif 000017
【図１７】
0006022197.tif 000018
【図１８】
0006022197.tif 000019
【図１９】
0006022197.tif 000020
【図２０】
0006022197.tif 000021
【図２１】
0006022197.tif 000022
【図２２】
0006022197.tif 000023
【図２３】
0006022197.tif 000024
【図２４】
0006022197.tif 000025
【図２５】
0006022197.tif 000026
【図２６】
0006022197.tif 000027
【図２７】
0006022197.tif 000028
【図２８】
0006022197.tif 000029
【図２９】
0006022197.tif 000030
【図３０】
0006022197.tif 000031
【図３１】
0006022197.tif 000032
【図３２】
0006022197.tif 000033
【図３３】
0006022197.tif 000034
【図３４】
0006022197.tif 000035
【図３５】
0006022197.tif 000036
【図３６】
0006022197.tif 000037